(57)【要約】      （修正有）【課題】パッティングにおいての安定性と精度の保持が可能なゴルフパターを提供する。【解決手段】使用者がゴルフのパッティングに用いるゴルフパター１００であって、シャフト１と、ゴルフボールと接触してゴルフボールをパッティング方向に転がすクラブフェイス２１が備わるヘッド２が含まれ、シャフトの軸がヘッドの長手方向の水平中心ラインと交差しかつヘッドの長手方向と垂直になることを特徴とする。【選択図】図１
0003190469.tif 000002
【実用新案登録請求の範囲】
【請求項１】
使用者がゴルフのパッティングに用いるゴルフパターであって、
シャフトと、
ゴルフボールに接触して前記ゴルフボールをパッティング方向に転がすクラブフェイスが含まれるヘッドと、
を備え、
パッティング方向のパッティングラインは前記使用者の足の間の連接軸と垂直で、前記シャフトの軸が前記ヘッドの長手方向の水平中心ラインと交差することを特徴とするゴルフパター。
【請求項２】
前記シャフトの軸が前記ヘッドの長手方向と垂直になることを特徴とする請求項１記載のゴルフパター。
【請求項３】
前記ヘッドが上面側に備わり、前記上面側に接合部が備わり、前記接合部が前記ヘッドの長手方向の中心に位置して前記シャフトと接合することを特徴とする請求項１記載のゴルフパター。
【請求項４】
前記シャフトのシャフト軸がパッティングラインと交差することを特徴とする請求項１記載のゴルフパター。
【請求項５】
前記シャフトに組合部が備わり、前記組合部が前記接合部と接合することを特徴とする請求項２記載のゴルフパター。
【請求項６】
前記シャフトに接合材が備わり、前記接合材が前記ヘッドの上面側に接合することを特徴とする請求項１記載のゴルフパター。
【請求項７】
前記シャフトに接合材が備わり、前記接合材が前記ヘッドのクラブフェイスの反対面に接合することを特徴とする請求項１記載のゴルフパター。
【請求項８】
前記シャフトに接合材が備わり、前記接合材が前記ヘッドの長手方向のいずれかの端に接合することを特徴とする請求項１記載のゴルフパター。
【請求項９】
前記シャフトの前記シャフト軸が前記ヘッドとの接合面と垂直に接合することを特徴とする請求項１記載のゴルフパター。
【請求項１０】
前記ヘッドが使用者の両足の連接軸を通過して前記パッティングラインに沿って移動することを特徴とする請求項１記載のゴルフパター。
【請求項１１】
前記ヘッドと前記シャフトが一体成形であることを特徴とする請求項１記載のゴルフパター。
【考案の詳細な説明】
【技術分野】
【０００１】
本考案はゴルフパターで、特にパッティングの安定性と精度の保持が可能なゴルフパターに関する。
【背景技術】
【０００２】
近年では、ゴルフは世界的に見て特に若い世代にも流行のスポーツとなっている。メーカーが常に全力を尽くして、ボールをより遠く飛ばすことができ、そしてよりスムーズにスイングが繰り出せるクラブを追求していることで、ゴルフクラブは進化し続けている。
【０００３】
ゴルフパターとは、近距離のホールにボールが転がるように、比較的に短距離、そして低速の打球に使うゴルフクラブのことである。パターの精度の必要性はゴルフの試合において極めて高く、グリーンの地形、芝の状態、パターそのものの形、重さ、素材、バランス、長さとライ角などの要因だけでなく、最も重要なのは使用者によるパターのコントロール、打球のルート、手の制御、そして打球の動きなど使用者の技量に関するものが打数に大きな影響を及ぼす。故にほとんどのゴルファーはその技術を追求する。
【考案の概要】
【考案が解決しようとする課題】
【０００４】
従来のゴルフパターでボールを打つ場合、ボールの転がる方向と狙う方向が自然体の使用者の体の向きとは垂直であり、照準と打球の動きがやや不自然で困難である。従来のゴルフパターでの制限された打球面による不自然な体勢は使用者に多くの練習と授業料の支払いを強いることになる。なお、従来のゴルフパターでボールを打つ場合、使用者には腕、肩及び体の連携が必要で、その複雑さの故、僅かな乱れでも、スイングの安定性が保持できなくなり、打球の精度に影響が及ぶ。
【課題を解決するための手段】
【０００５】
以上を鑑みて、本考案の目的としてパッティングにおいての安定性と精度の保持が可能なゴルフパターを提供する。
【０００６】
本考案は従来の技術が抱えてきた問題を解決する手段として、使用者がゴルフのパッティングに用いるゴルフパターであって、シャフトと、ゴルフボールと接触して前記ゴルフボールをパッティング方向に転がすクラブフェイスが備わるヘッドが含まれ、パッティング方向のパッティングラインは前記使用者の足の間の連接軸と垂直で、前記シャフトの軸が前記ヘッドの長手方向の水平中心ラインと交差してかつ前記ヘッドの長手方向と垂直であることを特徴とするゴルフパターを提供する。
【０００７】
本考案の１つの実施形態では、前記ヘッドは上面側が備わり、前記上面側は接合部が備わり、前記接合部は前記ヘッドの長手方向を中心に位置して前記シャフトと接合する。
【０００８】
本考案の１つの実施形態では、前記シャフトのシャフト軸がパッティングラインと交差する。
【０００９】
本考案の１つの実施形態では、前記シャフトは組合部が備わり、前記組合部が前記接合部と接合する。
【００１０】
本考案の１つの実施形態では、前記シャフトは接合材が備わり、前記接合材は前記ヘッドの上面側に接合する。
【００１１】
本考案の１つの実施形態では、前記シャフトは接合材が備わり、前記接合材は前記ヘッドのクラブフェイスの反対面に接合する。
【００１２】
本考案の１つの実施形態では、前記シャフトは接合材が備わり、前記接合材は前記ヘッドの長手方向のいずれかの端に接合する。
【００１３】
本考案の１つの実施形態では、前記シャフトは前記シャフト軸が前記ヘッドとの接合面と垂直になるように接合する。
【００１４】
本考案の１つの実施形態では、前記ヘッドが使用者の両足の連接線を通過して前記パッティングラインに沿って移動する。
【考案の効果】
【００１５】
本考案の１つの実施形態では、前記ヘッドとシャフトが一体成形である。
【００１６】
本考案に採用された技術手段により、使用者は両手で本考案のゴルフパターを握り、前方にパッティングするようにパターを打つ、この方法により体各部位の連携がとり易くなり、スイングの安定保持を促進し、さらに打球の精度を上げる。
【００１７】
以下の実施形態及び添付図面により、本考案を採用した実施形態を具体的に説明する。
【図面の簡単な説明】
【００１８】
【図１】本考案の実施形態のゴルフパターの斜視図。
【図２】本考案の実施形態のゴルフパターの使用状況を示す図。
【図３】本考案の実施形態のゴルフパターの局部を示す図。
【図４ａ】本考案のもう１つの実施形態のゴルフパターの局部を示す図。
【図４ｂ】本考案のもう１つの実施形態のゴルフパターの局部を示す図。
【図４ｃ】本考案のもう１つの実施形態のゴルフパターの局部を示す図。
【考案を実施するための形態】
【００１９】
以下は図１から図４ｃまでに基いて、本考案の実施形態について説明する。当該説明は本考案の実施形態の一つの例示にすぎず、本考案は下記実施形態に限定されない。
【００２０】
図１と図２が示すように、本考案の実施形態のゴルフパター１００は、シャフト１、と
ゴルフボール３と接触して前記ゴルフボール３をパッティング方向Ｄ３に転がすクラブフェイス２１を含むヘッド２が備わり、前記パッティング方向Ｄ３のパッティングラインＡ３は前記使用者の足Ｆの間の連接軸Ａ４と垂直で、前記シャフト１の軸Ａ１は前記ヘッド２の長手方向Ｄ２の水平中心線Ａ２と交差し、かつ前記ヘッド２の長手方向Ｄ２と垂直になる。前記水平中心線Ａ２は前記ヘッド２の長手方向Ｄ２の中心Ｃ２を通過して水平方向に延びる。そして前記長手方向Ｄ２の仮想直線と垂直になる。
【００２１】
図２が示すように、このような構成により、使用者は両手で前記ゴルフパター１００を握り、前方に押し出すようにパターを打つ。前記ヘッド２は使用者両足Ｆの間の連接軸Ａ４を通過しパッティングラインＡ３に沿った運動作用でボールを打つ。そして打球の間、前記シャフト１の軸Ａ１はパッティングラインＡ３との交差が保持できる。この方法により体各部位の連携がとり易くなり、スイングの安定性保持を促進し、さらに打球の精度を上げることができる。
【００２２】
本考案において、前記シャフト１は前記ヘッド２といかなる構造で接合してもよい。図３が示すように、本考案の実施形態のゴルフパター１００において、前記シャフト１は組合部１１を備える。前記ヘッド２は上側面２２が備わり、前記上側面２２は前記ヘッド２の長手方向Ｄ２の中心Ｃ２に位置して前記シャフト１の前記組合部１１と接合する接合部２１１が備わる。前記組合部１１は本実施形態において組合突起で、前記接合部２１１は接合凹みだが、本考案はそれらに限らず、他の実施形態では、前記組合部１１が組合凹みで、前記接合部２１１が接合突起でもよい。
【００２３】
図４ａが示すように、本考案のもう１つの実施形態のゴルフパターにおいて、前記シャフト１は組合部材１２が備わり、前記組合部材１２は前記ヘッド２の上側面２２に接合される。そして、前記シャフト１は前記軸Ａ１で前記ヘッド２の接合面（即ち前記上側面２２）と垂直に接合される。
【００２４】
図４ｂが示すように、本考案のもう１つの実施形態のゴルフパターにおいて、前記シャフト１は組合部材１２ａが備わり、前記組合部材１２ａは前記ヘッド２のクラブフェイス２１の反対面２３に接合される。この実施形態において、前記シャフト１の軸Ａ１は前記上側面２２と垂直ではないが、前記軸Ａ１と前記ヘッド２の長手方向Ｄ２とは垂直で前記水平中心線Ａ２にて交差する。
【００２５】
図４ｃが示すように、本考案のもう１つの実施形態のゴルフパターにおいて、前記シャフト１は組合部材１２ｂが備わり、前記組合部材１２ｂは前記ヘッド２の長手方向Ｄ２のいずれかの端に接合される。前記軸Ａ１と前記ヘッド２の長手方向Ｄ２とは垂直に前記水平中心線Ａ２にて交差する。そして、前記軸Ａ１はさらに前記ヘッド２の長手方向Ｄ２の中心Ｃ２と交差する。
【００２６】
なお、前述において、前記シャフト１と前記ヘッド２とは接合されるが、本考案はそれに限らず、前記ヘッド１とシャフト２を一体成形にすることもできる。
【００２７】
本考案において、前記シャフト１とヘッド２は、その他の形状、サイズ、接合位置を変えてもよい。
【００２８】
当該分野の技術を熟知するものが理解できるように、本考案の好適な実施形態を前述の通り開示したが、これらは本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１００    ゴルフパター
１        シャフト
１１      組合部
１２      組合部材
１２ａ    組合部材
１２ｂ    組合部材
２        ヘッド
２１      クラブフェイス
２１１    接合部
２２      上側面
２３      反対面
Ａ１      軸
Ａ２      水平中心線
Ａ３      パッティングライン
Ａ４      連接軸
Ｃ２      中心
Ｄ２      長手方向
Ｄ３      パッティング方向
Ｆ        使用者の両足
【図１】
0003190469.tif 000003
【図２】
0003190469.tif 000004
【図３】
0003190469.tif 000005
【図４ａ】
0003190469.tif 000006
【図４ｂ】
0003190469.tif 000007
【図４ｃ】
0003190469.tif 000008
【手続補正書】
【提出日】平成26年3月4日(2014.3.4)
【手続補正１】
【補正対象書類名】実用新案登録請求の範囲
【補正対象項目名】全文
【補正方法】変更
【補正の内容】
【実用新案登録請求の範囲】
【請求項１】
使用者がゴルフのパッティングに用いるゴルフパターであって、
シャフトと、
ゴルフボールに接触して前記ゴルフボールをパッティング方向に転がすクラブフェイスが含まれるヘッドと、
を備え、
前記シャフトの軸が前記ヘッドの長手方向の水平中心ラインと交差することを特徴とするゴルフパター。
【請求項２】
前記シャフトの軸が前記ヘッドの長手方向と垂直になることを特徴とする請求項１記載のゴルフパター。
【請求項３】
前記ヘッドが上面側に備わり、前記上面側に接合部が備わり、前記接合部が前記ヘッドの長手方向の中心に位置して前記シャフトと接合することを特徴とする請求項１記載のゴルフパター。
【請求項４】
前記シャフトに組合部が備わり、前記組合部が前記接合部と接合することを特徴とする請求項３記載のゴルフパター。
【請求項５】
前記シャフトに接合材が備わり、前記接合材が前記ヘッドの上面側に接合することを特徴とする請求項１記載のゴルフパター。
【請求項６】
前記シャフトに接合材が備わり、前記接合材が前記ヘッドのクラブフェイスの反対面に接合することを特徴とする請求項１記載のゴルフパター。
【請求項７】
前記シャフトに接合材が備わり、前記接合材が前記ヘッドの長手方向のいずれかの端に接合することを特徴とする請求項１記載のゴルフパター。
【請求項８】
前記シャフトの前記シャフト軸が前記ヘッドとの接合面と垂直に接合することを特徴とする請求項１記載のゴルフパター。
【請求項９】
前記ヘッドと前記シャフトが一体成形であることを特徴とする請求項１記載のゴルフパター。